(57)【特許請求の範囲】
【請求項１】
枠部材と、
上記枠部材に設けられ、上記枠部材を案内する軸状若しくは管状の案内部材と、
上記光軸と直交する平面内の互いに直交する二方向に上記案内部材を変位させるため、上記光軸方向に沿って設けられ変形可能な２枚の平行板からなる第１の平行バネ部と、
上記案内部材の上記第１の平行バネ部の上記変形に伴う上記変位に加え、さらに上記案内部材を光軸方向及び上記平面内の２方向のうちの一方向にも変位させるため、上記第１の平行バネ部の上部に設けられ、上記光軸に直交して設けられた２枚の平行板からなる第２の平行バネ部と、
を具備することを特徴とする鏡枠調整装置。
【発明の詳細な説明】
【０００１】
【発明の属する技術分野】
本発明は、鏡枠の枠部材を案内する案内部材の位置を調整する鏡枠調整装置に関する。
【０００２】
【従来の技術】
従来、鏡枠の進退移動のための案内部材を有する鏡枠装置として提案されている特開昭６２−１５０２１１号公報に開示のズームレンズ鏡筒における案内部材の固定方法は、移動鏡枠のブッシュ孔にロッド摺動用案内部材であるブッシュを挿入し、その嵌合隙間に接着剤を注入し固着する方法を採用している。
【０００３】
【発明が解決しようとする課題】
上述の特開昭６２−１５０２１１号公報には、上記ブッシュ（案内部材）の鏡枠に対する位置調整技術については特に触れられていない。しかしながら、鏡枠の歩留まりや鏡枠の摺動特性を向上させるためには、上記ブッシュの鏡枠に対する相対的な位置調整が不可欠であり、より簡単な構造で位置の微調整が可能な鏡枠の調整装置が要望されている。また、上記鏡枠以外の移動可能な部材を有する機構についても同様な調整装置が望まれている。
【０００４】
本発明は、上述の不具合を解決するためになされたものであり、簡単な機構により軸状、または、管状の案内部材の枠部材に対する位置の微調整が可能であり、調整精度が高く、低コストの鏡枠調整装置を提供することを目的とする。
【０００５】
本発明の請求項１記載の鏡枠調整装置は、枠部材と、上記枠部材に設けられ、上記枠部材を案内する軸状若しくは管状の案内部材と、上記光軸と直交する平面内の互いに直交する二方向に上記案内部材を変位させるため、上記光軸方向に沿って設けられ変形可能な２枚の平行板からなる第１の平行バネ部と、上記案内部材の上記第１の平行バネ部の上記変形に伴う上記変位に加え、さらに上記案内部材を光軸方向及び上記平面内の２方向のうちの一方向にも変位させるため、上記第１の平行バネ部の上部に設けられ、上記光軸に直交して設けられた２枚の平行板からなる第２の平行バネ部と、を具備することを特徴とする。
【０００８】
【発明の実施の形態】
以下、本発明の実施の形態を図に基づいて説明する。
図１は、本発明の第１の実施形態の鏡枠調整装置を内蔵するレンズ鏡筒の主要部の分解斜視図である。また、図２は、上記レンズ鏡筒に内蔵される１，２群レンズ枠の拡大分解斜視図であり、図３は、上記レンズ鏡筒を光軸方向から見た縦断面図である。なお、レンズ光軸Ｏに直交する左右方向をＸ方向とし、その左方向を位置調整上のプラス（＋）側とする。また、上下方向をＹ方向とし、その下方向を位置調整上のプラス（＋）側とする。
【０００９】
本実施形態のレンズ鏡筒は、レンズ枠に取り付けられる移動案内部材（スリーブ）の位置の微調整が可能なものであり、その構成は、図１等に示すように、主に、本体に固定して支持される直進ガイド枠１と、上記直進ガイド枠１の外周に回動自在に嵌入して支持されるカム環２と、直進ガイド枠１に直進可能な状態で嵌入され、１群レンズ８および２群レンズ９をそれぞれ保持する枠部材（基台）である１群レンズ枠３、および、２群レンズ枠４とからなる。
【００１０】
上記直進ガイド枠１には、３つの直進ガイド溝１ａ，１ｂ，１ｃと、ネジ調整孔１ｇが配設されている。また、上記カム環２には、１群レンズ用カム溝２ｂと、２群レンズ用カム溝２ｄ，２ｅ，２ｆと、ネジ調整孔２ｇが設けられている。上記カム環２を直進ガイド枠１に対して回動操作することにより上記１，２群レンズ８，９が進退駆動されることになる。
【００１１】
上記１群レンズ枠３には、主ガイド軸５が摺動自在に嵌入する管状の案内部材（移動ガイド部材）であるスリーブ７と、上記スリーブ７が固着され、その位置調整を行うスリーブ位置調整部（鏡枠調整装置）２０と、回転止め用の副ガイド軸６が摺動自在に嵌入する切り欠き３ａと、カムフォロワ３ｂと、レンズ枠間芯出し用円環状凹部３ｄとが設けられている。なお、上記カムフォロワ３ｂは、直進ガイド枠１の直進ガイド溝１ｂに摺動自在に嵌入し、さらに、カム環２のカム溝２ｂに摺動自在に嵌入する。
【００１２】
上記２群レンズ枠４には、３つのカムフォロワ４ａ，４ｂ，４ｃが外周に固着され、また、レンズ光軸Ｏと平行な方向に保持される主ガイド軸５、および、副ガイド軸６がそれぞれ固着されている。そして、１群レンズ枠３の凹部３ｄに精密嵌合（隙間微小状態嵌合）する芯出し用円環状凸部４ｄがレンズ保持部の周囲に設けられている。
【００１３】
なお、上記主ガイド軸５および副ガイド軸６は、上記１群レンズ枠３のスリーブ７、および、切り欠き３ａに摺動自在に嵌入される。また、上記カムフォロワ４ａ，４ｂ，４ｃは、直進ガイド枠１の直進ガイド溝１ａ，１ｂ，１ｃに摺動自在に嵌入され、さらに、カム環２のカム溝２ｄ，２ｅ，２ｆにも摺動自在に嵌入される。
【００１４】
上記スリーブ位置調整部２０は、図２，３に示すように、案内部材であるスリーブ７と、押圧手段である調整ネジ１１，１２と、さらに、１群レンズ枠３の上部に一体的に設けられる変形部で構成される。この調整部２０により上記スリーブ７は、主ガイド軸５と直交する平面上で１群レンズ枠３に対する相対位置調整がなされる。
【００１５】
上記変形部は、光軸Ｏ方向に沿って、かつ、上方（Ｙ方向）に立ち上がる平行な２枚からなる平行板バネ部（平行バネ機構）３ｅと、上記平行バネ部３ｅに対向する突起部に設けられる調整ネジ螺合用ネジ部３ｇと、上記平行板バネ部３ｅを連結する平板部３ｊと、上記平板部３ｊの上部に光軸Ｏと直交するＸ方向に沿い、かつ、上方（Ｙ方向）に立ち上がる平行な２枚からなる平行板バネ部（平行バネ機構）３ｆと、平板部３ｊの上部で上記平行板バネ部３ｆに対向する突起部に設けられる調整ネジ螺合用ネジ部３ｈと、上記平行板バネ部３ｆの上部に配設される上記スリーブ固着用の穴部３ｉとからなる。
【００１６】
次に、以上のように構成された本実施形態のレンズ鏡筒におけるスリーブ位置調整を含む組み立て動作について、図４（Ａ），（Ｂ）のスリーブ位置調整部２０の拡大図を用いて説明する。但し、図４（Ａ）は、スリーブ位置調整部２０を光軸方向から見た拡大図であり、図４（Ｂ）は、図４（Ａ）のＡ矢視図である。なお、上記調整、組み立てに先立ってスリーブ７は１群レンズ枠３の穴部３ｉに接着、または、圧入により固着されているものとする。
【００１７】
まず、２群レンズ枠４のその各カムフォロアを直進ガイド枠１の直進ガイド溝に嵌入させながら直進ガイド枠１に挿入する。さらに、１群レンズ枠３を、カムフォロアを直進ガイド溝に嵌入させ、同時に主ガイド軸５をスリーブ７に、また、副ガイド軸６を切り欠き３ａに嵌入させながら、直進ガイド枠１に挿入する。
【００１８】
上述の各軸挿入状態で２群レンズ枠４と１群レンズ枠３を互いに接近させ、円環状凸部４ｄを円環状凹部３ｄを嵌合させてみる。そのとき、嵌合しないか、あるいは、嵌合が容易でない状態であれば、Ｘ方向用調整ネジ１１およびＹ方向用調整ネジ１２をねじ込んでスリーブ７の１群レンズ枠３に対する位置調整を行う。
【００１９】
すなわち、Ｘ方向用調整ネジ１１を調整孔１ｇを通してドライバによりある角度だけねじ込むと、平行板バネ部３ｅがＸ方向に変形し、図４（Ａ）に示すようにスリーブ７は、光軸Ｏと平行な状態を保ちながら１群レンズ枠３に対してＸ（＋）方向にδｘ移動（変位）する。同時にＹ（＋）方向にも微小量δy0変化（変位）する。
【００２０】
次に、Ｙ方向用調整ネジ１２を光軸Ｏ方向からある角度だけねじ込むと、平行板バネ部３ｆが光軸Ｏ方向に変形し、図４（Ｂ）に示すようにスリーブ７は、光軸Ｏと平行な状態を保ちつつ１群レンズ枠３に対して光軸Ｏ方向に変位すると同時にＹ（＋）方向にδｙ移動（変位）する。
【００２１】
上述のようにスリーブ７を１群レンズ枠３に対して上記Ｘ方向移動量δｘとＹ方向移動量δy0＋δｙだけ変位させることによって、上記円環状凸部４ｄを円環状凹部３ｄが確実に嵌合する状態が得られれば、その状態で１群レンズ枠３と２群レンズ枠４との光軸Ｏが互いに一致し、スリーブ７の位置調整がなされたものとして、調整ネジ１１，１２を各ネジ部に接着固定し、調整を終了する。
【００２２】
なお、スリーブ位置調整前の状態で１群レンズ枠３のスリーブ７が嵌合する穴部３ｉの光軸Ｏに対する位置は、正常位置に比較し、部品のばらつきの寸法だけＸ（−）方向、および、Ｙ（−）方向にオフセットさせておき、常に調整ネジ１１，１２をねじ込む方向で位置調整できるようにする。
【００２３】
上述の調整後、カム環２を直進ガイド枠１に嵌入させて組み立てが終わる。しかし、スリーブ位置調整は、カム環２を嵌入させた状態でもネジ調整孔２ｇおよび１ｇを通して、また、光軸方向から調整ネジ１１，１２を調整することによっても行うことができる。あるいは、直進ガイド枠１に挿入する前の１群レンズ枠３と２群レンズ枠４のみの状態でも同様な方法で調整することができる。
【００２４】
また、上述の実施形態においては、１，２群レンズ枠の光軸Ｏを合わせるために互いに嵌合する円環状凹部，凸部を適用したが、これに限らず他の嵌合部を用いてもよく、また、上記嵌合部を用いず光学的に光軸合わせを行いながらスリーブ位置調整を行うようにしてもよい。
【００２５】
上述したように本第１の実施形態のレンズ鏡筒によれば、簡単な構造の機構によって管状の案内部材であるスリーブの位置の枠部材に対する微調整が可能であり、調整精度が高く、低コストの鏡枠調整装置が得られる。
【００２６】
次に、本発明の第２の実施形態の鏡枠調整装置を内蔵するレンズ鏡筒について説明する。
図５は、本実施形態のレンズ鏡筒に内蔵される１，２群レンズ枠の拡大分解斜視図である。
【００２７】
本実施形態のレンズ鏡筒は、前記第１の実施形態のレンズ鏡筒に対して主ガイド軸が１群レンズ枠側に固着され、２群レンズ枠側に上記主ガイド軸が摺動するスリーブが固着された構造を有しており、軸位置調整装置により上記主ガイド軸の位置を１群レンズ枠に対して微調節するものである。上記以外の構造は、第１の実施形態の場合と同一構造を有しており、以下、異なる部分についてのみ説明する。但し、同一構造部材は、同一の符号を用いて説明する。
【００２８】
１群レンズ枠１３には、軸状の案内部材である主ガイド軸１５と、上記主ガイド軸１５が固着され、その位置調整を行う軸位置調整部（鏡枠調整装置）２１とが設けられており、その他、前記１群レンズ枠３と同様に切り欠き３ａと、カムフォロワ３ｂと、レンズ枠間芯出し用円環状凹部３ｄとが設けられている。
【００２９】
上記２群レンズ枠４には、上記主ガイド軸１５が摺動自在に嵌入するスリーブ７が固着されており、その他、前記２群レンズ枠４と同様に３つのカムフォロワ４ａ，４ｂ，４ｃと、副ガイド軸６がそれぞれ固着され、芯出し用円環状凸部４ｄとが設けられている。
【００３０】
上記軸位置調整部２１は、図５に示すように、軸穴３ｋに固着される主ガイド軸１５と、押圧手段である調整ネジ１１，１２と、さらに、前記１群レンズ枠３と同様の形状を有する変形部とで構成される。この調整部２１においては、上記主ガイド軸１５をその軸と直交する平面上での位置調整が行われる。
【００３１】
次に、以上のように構成された本実施形態のレンズ鏡筒における主ガイド軸の位置調整動作について説明する。
この主ガイド軸１５の位置調整も前述した第１の実施形態でのスリーブ７の場合と同様に調整ネジ１１，１２をねじ込むことによって平行バネ部３ｅ，３ｆを変形させて、主ガイド軸１５を光軸Ｏと平行な状態を保ちながら１群レンズ枠１３に対してＸ方向、および、Ｙ方向に変位させて調整する。その状態で第１の実施形態の場合と同様に１群レンズ枠１３と２群レンズ枠４を接近させて円環状凸部４ｄ，凹部３ｄが確実に嵌合する状態が得られれば、互いの光軸Ｏが一致したことになり、調整を終了する。
【００３２】
上述したように本第２の実施形態のレンズ鏡筒によれば、簡単な構造の機構により軸状の案内部材である主ガイド軸の位置の１群レンズ枠に対する微調整が可能であり、低コストで調整精度の高い鏡枠調整装置が得られる。
【００３３】
上述の各実施形態のものは、レンズ鏡筒の鏡枠調整装置として適用したものであるが、これに限らず相対的に進退駆動される基台の移動案内部材の基台に対する位置調整装置としても本発明の要旨を適用することができ、同様の効果を得ることができる。
【００３４】
なお、上述の実施形態に基づいて、
１．  基台と、
上記基台を相対的に移動させるための部材であって、上記基台に対し相対変位可能な移動案内部材と、
上記移動案内部材を上記基台に対して変位させるための平行バネ機構と、
上記平行バネ機構を押圧する押圧手段と、
を有し、上記押圧手段によって上記平行バネ機構が押圧される少なくとも一方向に対して垂直な方向の上記移動案内部材の変位を調整の対象とすることを特徴とした調整装置を提案することができる。
【００３５】
上記調整装置によれば、簡単な構造の機構により移動案内部材の基台に対する位置の微調整が可能であり、調整精度が高く、低コストの調整装置を提供することができる。
【００３６】
【発明の効果】
上述のように本発明によれば、簡単な構造の機構により軸状、または、管状の案内部材の枠部材に対する位置の微調整が可能であり、調整精度が高く、低コストの鏡枠調整装置を提供することができる。
【図面の簡単な説明】
【図１】本発明の第１の実施形態の鏡枠調整装置を内蔵するレンズ鏡筒の主要部の分解斜視図。
【図２】上記第１の実施形態のレンズ鏡筒に内蔵される１，２群レンズ枠の拡大分解斜視図。
【図３】上記第１の実施形態のレンズ鏡筒を光軸方向から見た縦断面図。
【図４】上記第１の実施形態のレンズ鏡筒におけるスリーブ位置調整部の拡大図であって、図４（Ａ）がスリーブ位置調整部を光軸方向から見た拡大図であり、図４（Ｂ）が図４（Ａ）のＡ矢視図である。
【図５】本発明の第２の実施形態のレンズ鏡筒に内蔵される１，２群レンズ枠の拡大分解斜視図。
【符号の説明】
３，１３  ……１群レンズ枠（枠部材）
７  ……スリーブ（管状の案内部材）
１５  ……主ガイド軸（軸状の案内部材）
２０  ……スリーブ位置調整部（調整機構）
２１  ……軸位置調整部（調整機構）
【図１】
0004307634.tif 000002
【図２】
0004307634.tif 000003
【図３】
0004307634.tif 000004
【図４】
0004307634.tif 000005
【図５】
0004307634.tif 000006